(57)【要約】  本発明は、汚れ含有空気流から粒子を分離するサイクロン型分離装置（１００）であって、汚れやほこりを汚れ含有空気流から分離して収集するサイクロン（１０２）を有するサイクロン型分離装置を提供する。サイクロン（１０２）は、空気入口（１１０）、空気出口（１２６）、長手方向軸線（Ｘ−Ｘ）及び壁（１０４）を有する。壁（１０４）は、第１の部分（１０６）及びこの第１の部分よりも長手方向軸線（Ｘ−Ｘ）から更に間隔を置いて位置する第２の部分（１０８）を有し、第１の部分（１０６）と第２の部分（１０８）は、長手方向軸線（Ｘ−Ｘ）に沿って軸方向に間隔を置いて位置している。サイクロン（１０２）は、壁（１０４）の第１の部分（１０６）から壁（１０４）の第２の部分（１０６）によって包囲されたサイクロン（１０２）の部分内に延びる少なくとも１つのリップ（１１４）を更に有している。互いに異なるサイズの２つの部分（１０６，１０８）を備えた壁（１０４）と、サイズの小さいほうの部分（１０６）からサイズの大きいほうの部分（１０８）内に延びるリップ（１１４）とを有するサイクロン（１０２）を提供することによって、サイクロン型分離装置（１００）内への汚れやほこりの再同伴及び運動に起因する閉塞の恐れが減少する。
2009543636.tif 000002
【特許請求の範囲】
【請求項１】
汚れやほこりを含有した空気流から粒子を分離するサイクロン型分離装置であって、前記汚れやほこりを含有した空気流から汚れやほこりを分離して収集するサイクロンを有し、前記サイクロンは、空気入口、空気出口、長手方向軸線、及び壁（この壁上でサイクロン分離が行われる）を有し、前記壁は、第１の部分及び前記第１の部分よりも前記長手方向軸線から更に間隔を置いて位置する第２の部分を有し、前記第１の部分と前記第２の部分は、前記長手方向軸線に沿って軸方向に間隔を置いて位置し、前記サイクロンは、前記壁の前記第１の部分から前記壁の前記第２の部分によって包囲された前記サイクロンの部分内に延びる少なくとも１つのリップを更に有する、サイクロン型分離装置。
【請求項２】
前記壁の前記第１の部分は、円筒形であり、第１の半径を有する、請求項１記載のサイクロン型分離装置。
【請求項３】
前記壁の前記第２の部分の少なくとも一部は、円筒形であり、第２の半径を有する、請求項１又は２記載のサイクロン型分離装置。
【請求項４】
前記壁の前記第１の部分は、前記空気入口と前記壁の前記壁の第２の部分との間に位置している、請求項１、２又は３記載のサイクロン型分離装置。
【請求項５】
前記少なくとも１つのリップを貫通して複数の穴が設けられている、請求項１〜４のうちいずれか一に記載のサイクロン型分離装置。
【請求項６】
前記少なくとも１つのリップは、前記壁の前記第１の部分の実質的に真っ直ぐな延長部を形成している、請求項１〜５のうちいずれか一に記載のサイクロン型分離装置。
【請求項７】
前記少なくとも１つのリップの遠位端部は、前記長手方向軸線からの前記第１の部分の距離よりも前記長手方向軸線から長い距離を置いたところに位置している、請求項１〜５のうちいずれか一に記載のサイクロン型分離装置。
【請求項８】
前記少なくとも１つのリップの遠位端部は、前記長手方向軸線からの前記第１の部分の距離よりも前記長手方向軸線から短い距離を置いたところに位置している、請求項１〜５のうちいずれか一に記載のサイクロン型分離装置。
【請求項９】
前記少なくとも１つのリップは、前記長手方向軸線に対して角度をなして前記壁の前記第１の部分から延びている、請求項７又は８記載のサイクロン型分離装置。
【請求項１０】
単一のリップが設けられ、前記リップは、前記壁の周囲に沿ってぐるりと延びている、請求項１〜９のうちいずれか一に記載のサイクロン型分離装置。
【請求項１１】
前記空気入口の下流側に設けられた少なくとも１つの別のサイクロン及び収集器を更に有し、前記少なくとも１つの別のサイクロンは、分離された汚れやほこりを前記収集器内に堆積させるよう構成されている、請求項１〜１０のうちいずれか一に記載のサイクロン型分離装置。
【請求項１２】
前記収集器は、長手方向軸線、壁、及び前記壁から前記収集器内に延びる少なくとも１つの別のリップを有する、請求項１１記載のサイクロン型分離装置。
【請求項１３】
前記別のサイクロンは、入口及び円錐形開口部を有し、前記少なくとも１つの別のリップは、前記少なくとも１つの別のサイクロンの前記円錐形開口部から遠ざかって延びている、請求項１２記載のサイクロン型分離装置。
【請求項１４】
前記少なくとも１つの別のリップの少なくとも一部は、前記収集器の壁の一部に平行である、請求項１２又は１３記載のサイクロン型分離装置。
【請求項１５】
請求項１〜１４のうちいずれか一に記載のサイクロン型分離装置を有する真空掃除機。
【請求項１６】
前記真空掃除機は、手持ち型真空掃除機である、請求項１５記載の真空掃除機。
【発明の詳細な説明】
【技術分野】
【０００１】
本発明は、特に真空掃除機用の（これには限られない）サイクロン型分離装置に関する。本発明は、特に、手持ち型真空掃除機用のサイクロン型分離装置に関する。
【背景技術】
【０００２】
サイクロン型分離装置は、例えば欧州特許第００４２７２３号明細書から知られている。この特許文献は、２つの逆流形サイクロンを用いて粒子を空気流から分離する真空掃除機を開示している。サイクロンは、第１の低効率サイクロン及び第１のサイクロンの下流側に位置する第２の高効率サイクロンから成る。汚れやほこり含有空気が、第１のサイクロンに設けられた入口を通って入り、第１のサイクロンの内部に沿ってぐるりと下向きの螺旋経路を辿る。遠心力が同伴状態の汚れやほこりに作用してこれを空気流から分離する。汚れやほこりは、空気流から分離されると、第１のサイクロンの底部に集まる。空気流は、第１のサイクロンの底部に達すると、方向を逆転する。部分的に清浄になった空気流は、第１のサイクロンを上方に戻り、出口を通って第１のサイクロンから出る。いわゆるシュラウドを第１のサイクロンの出口の周りに設けることは、通例である。シュラウドは、多数の貫通穴を備えた壁を有し、空気流は、第２のサイクロンに達するためにこれら貫通穴を通過する。次に、空気は、第２のサイクロンに入り、第２のサイクロンの内部で下向きの螺旋経路を辿る。小さい粒子は、第１のサイクロンと同様な仕方で空気流から分離され、第２のサイクロンの下に設けられた収集器内に溜まる。次に、清浄になった空気は、第２のサイクロンの内部を上方に逆流し、モータ前置フィルタ、モータ及びモータ後置フィルタを順次通過し、その後真空掃除から排出される。
【０００３】
この構成では、空気流から分離された汚れやほこりの何割かは、戻り空気流中に時には再同伴されるようになる。これは、望ましくないが、その理由は、この汚れやほこりにより、サイクロン型分離装置の部分、例えばシュラウドの貫通穴の閉塞が生じる場合があるからである。シュラウドの貫通穴の閉塞により、サイクロン型分離装置の作動効率が低下することになる。
【０００４】
シュラウドの上流側の第１のサイクロン内への汚れやほこりの保持具合を向上させるために、第１のサイクロン内に突き出たリップをシュラウドに設けることが知られている。かかるリップの一例が、欧州特許第０８００３５９号明細書に図示されると共に説明されている。このリップは、シュラウドの貫通穴が詰まり状態又は閉塞状態になる恐れを減少させる。
【０００５】
しかしながら、この対策は実質的に垂直方向に差し向けられたサイクロン型分離装置（例えば、直立形掃除機のサイクロン型分離装置）にとっては有用であるが、この構成は、垂直から遠ざかって差し向けられたサイクロン型分離装置には有効性が低い場合がある。かかる状況は、例えばサイクロン型分離装置が筒形掃除機において垂直に対して角度をなして配置され又はユーザにより任意の又はきまぐれな角度で保持される場合のある手持ち型真空掃除機の一部をなす場合に生じることがある。これらの状況では、分離された汚れやほこりが第１のサイクロンの出口に向かって動く恐れがある。これは、汚れやほこりが入口又はシュラウドの貫通穴を塞ぐ場合があるので望ましくない。
【０００６】
内方に延びる突出部をサイクロンの壁に設けることが知られている。欧州特許第０７２８４３５号明細書と英国特許第２３６３７４４号明細書の両方は、かかるサイクロンの内面の下方部分に沿ってぐるりと設けられた内方に突き出ている環状カラー又はリブを記載している。これら先行技術文献の両方において、これら特徴は、汚れやほこりが部分的に清浄になった空気流中に再同伴されるようになるのを阻止するのに役立つことが示唆されている。しかしながら、例えば内方に突き出たリブ又はカラーのような要素をサイクロンの内壁に設ける形で導入すると、望ましくない効果も生じる場合がある。例えば、これら要素は、サイクロン内に乱流を生じさせる場合があり、かかる乱流は、溜まっている汚れやほこりを望ましくない仕方でかき乱す場合がある。さらに、これら要素の導入により、サイクロンの分離効率が低下する場合がある。
【０００７】
本発明の目的は、空気流から分離された汚れやほこりの再同伴の恐れを減少させる一方で、サイクロン型分離装置の分離効率に対する悪影響を最小限に抑えるサイクロン型分離装置を提供することにある。別の目的は、サイクロン型分離装置を垂直の向きから遠ざけたときに空気流から分離された汚れやほこりの再同伴の恐れを最小限に抑えるサイクロン型分離装置を提供することにある。
【先行技術文献】
【特許文献】
【０００８】
【特許文献１】欧州特許第００４２７２３号明細書
【特許文献２】欧州特許第０８００３５９号明細書
【特許文献３】欧州特許第０７２８４３５号明細書
【特許文献４】英国特許第２３６３７４４号明細書
【発明の概要】
【０００９】
本発明は、汚れやほこりを含有した空気流から粒子を分離するサイクロン型分離装置であって、汚れやほこりを含有した空気流から汚れやほこりを分離して収集するサイクロンを有し、サイクロンは、空気入口、空気出口、長手方向軸線、及び壁（この壁上でサイクロン分離が行われる）を有し、壁は、第１の部分及び第１の部分よりも長手方向軸線から更に間隔を置いて位置する第２の部分を有し、第１の部分と第２の部分は、長手方向軸線に沿って軸方向に間隔を置いて位置し、サイクロンは、壁の第１の部分から壁の第２の部分によって包囲されたサイクロンの部分内に延びる少なくとも１つのリップを更に有することを特徴とするサイクロン型分離装置を提供する。互いに異なるサイズの２つの部分を備えた壁及びサイズの小さいほうの部分からサイズの大きいほうの部分内に延びるリップとを有するサイクロンを提供することによって、サイクロン型分離装置内への汚れやほこりの再同伴及び運動に起因する閉塞の恐れが減少する。
【００１０】
好ましくは、壁の第１の部分は、円筒形であり、第１の半径を有する。より好ましくは、壁の第２の部分の少なくとも一部は、円筒形であり、第２の半径を有する。
【００１１】
好ましくは、リップは、壁の第１の部分の実質的に真っ直ぐな延長部を形成する。この構成により、空気流中へのリップの突き出しが最小限に抑えられ、しかも、サイクロン型分離装置内への分離状態の汚れやほこりの再同伴の恐れが依然として減少する。
【００１２】
好ましくは、サイクロン型分離装置は、空気入口の下流側に設けられた少なくとも１つの別のサイクロン及び収集器を有し、少なくとも１つの別のサイクロンは、分離された汚れやほこりを収集器内に堆積させるよう構成されている。より好ましくは、収集器は、長手方向軸線、壁、及び壁から収集器内に延びる少なくとも１つの別のリップを有する。収集器の壁から延びるリップを設けることにより、収集器内に溜まっている細かい汚れやほこりの再同伴及び移動の恐れを最小限に抑えることができ、かくして、別のサイクロンが閉塞状態になる恐れが減少する。
【００１３】
次に、添付の図面を参照して本発明の実施形態について説明する。
【図面の簡単な説明】
【００１４】
【図１】本発明の第１の実施形態としてのサイクロン型分離装置を有する手持ち型真空掃除機を示す図である。
【図２】図１の手持ち型真空掃除機の長手方向軸線に沿って取ったサイクロン型分離装置の断面図である。
【図３】図１の手持ち型真空掃除機のサイクロン型分離装置の横断面図である。
【図４】本発明のサイクロン型分離装置の一部の変形実施形態の略図である。
【図５】本発明のサイクロン型分離装置の一部の変形実施形態の略図である。
【図６】本発明のサイクロン型分離装置の一部の変形実施形態の略図である。
【図７】本発明のサイクロン型分離装置の一部の変形実施形態の略図である。
【図８】本発明のサイクロン型分離装置の一部の変形実施形態の略図である。
【図９】本発明のサイクロン型分離装置の一部の変形実施形態の略図である。
【図１０】本発明のサイクロン型分離装置の一部の変形実施形態の略図である。
【図１１】本発明のサイクロン型分離装置の一部の変形実施形態の略図である。
【発明を実施するための形態】
【００１５】
図１は、手持ち型真空掃除機１０を示している。手持ち型真空掃除機１０は、モータ・ファンユニット（図示せず）を収容した本体１２を有した。本体１２は、電源１４、例えば電池を更に収納している。取っ手１６が、手持ち型真空掃除機１０を使用中操作するために本体１２に設けられている。サイクロン型分離装置１００が、本体１２に取り付けられている。入口管１８が、本体１２から見て遠くに位置するサイクロン型分離装置１００の部分から延びている。汚れ空気入口２０が、入口管１８の遠位端部のところに形成されている。ブラシツール２２が、入口管１８の遠位端部に摺動可能に取り付けられている。１組の排気ベント２４が、空気を手持ち型真空掃除機１０から排出するために本体１２に設けられている。
【００１６】
手持ち型真空掃除機１０の一部をなすサイクロン型分離装置１００は、図２及び図３に詳細に示されている。サイクロン型分離装置１００は、長手方向軸線Ｘ−Ｘ及び壁１０４を備えたサイクロン１０２を有する。壁１０４は、第１の部分１０６及び第２の部分１０８を有している。入口１１０が、壁１０４に形成されており、この入口は、壁１０４の第１の部分１０６が入口１１０と壁１０４の第２の部分１０８との間に位置するよう配置されている。入口１１０は、汚れ空気入口２０と連通状態にあり、この入口は、入口管１８とサイクロン１０２の内部との間の連通経路を形成している。空気入口１１０は、サイクロン１０２の接線方向に配置され、その結果、流入空気は、サイクロン１０２の内部に沿ってぐるりと螺旋経路を辿るようになっている。
【００１７】
壁１０４の第１の部分１０６は、実質的に円筒形であり、２つの部品で構成されている。これは、サイクロン１０２の内部のクリーニングを可能にするようこれら部品を分離することができるようにするためである。しかしながら、これは、本発明にとって重要ではない。壁１０４の第２の部分１０８は、壁１０４の第１の部分１０６よりも長手方向軸線Ｘ−Ｘから更に間隔を置いて位置している。壁１０４の第２の部分１０８は、肩１１２付き円筒形部品１１３を有している。リップ１１４が、壁１０４の第１の部分１０６からサイクロン１０２の壁１０４の第２の部分１０８によって包囲された空間内に延びている。リップ１１４は、壁１０４の第１の部分１０６の実質的に真っ直ぐな延長部を形成している。リップ１１４の機能については後で説明する。
【００１８】
ベース１１６が、サイクロン１０２の一端を閉鎖している。ベース１１６は、ヒンジ１１８によって壁１０４の第２の部分１０８の下端部に枢動可能に取り付けられている。ベース１１６は、キャッチ１２０により閉鎖位置（図１〜図３に示されている）に保持される。
【００１９】
シュラウド１２１が、サイクロン１０２の壁１０４の内方に配置されている。シュラウド１２１は、複数の貫通穴１２３が設けられた円筒形の壁１２２を有している。シュラウド１２１は、サイクロン１０２の出口１２４を包囲している。出口１２４は、サイクロン１０２と別のサイクロン組立体１２６との間の連通経路となっている。リップ１２８が、シュラウド１２１の底部のところに設けられている。リップ１２８は、複数の貫通穴を有し、これら貫通穴は、空気を流通させることができるが汚れやほこりを捕捉するように設計されている。
【００２０】
別のサイクロン組立体１２６は、互いに平行に配置された複数の別のサイクロン１３０を有している。この実施形態では、６つの別のサイクロン１３０が設けられている。別のサイクロン１３０は各々、接線方向に配置された空気入口１３２及び空気出口１３４を有している。空気入口１３２及び空気出口１３４は各々、それぞれの別のサイクロン１３０の第１の端部のところに設けられている。円錐形開口部１３６が、各別のサイクロン１３０の第２の端部のところに設けられている。各別のサイクロン１３０の円錐形開口部１３６は、図３で最も良く理解できるようにそれぞれの別のサイクロン１３０の長手方向軸線（図示せず）に対して傾けられている。別のサイクロン１３０の各々の円錐形開口部１３６は、シュラウド１２１の内方に設けられた壁１４０によって画定された通路１３８と連通状態にある。
【００２１】
収集器１４２が、通路１３８の下端部のところに設けられている。収集器１４２は、切頭円錐形の第１の部分１４４及び円筒形の第２の部分１４６を有している。収集器１４２の内部は、ベース１１６並びに収集器１４２の第１及び第２の部分１４４，１４６の側部によって包囲されている。
【００２２】
別のリップ１４８が、円筒形の第２の部分１４６によって包囲された収集器１４２の部分内に延びている。別のリップ１４８は、切頭円錐形部分１４８ａ及び収集器１４２の第２の部分１４６の側部に実質的に平行に延びる円筒形部分１４８ｂを有している。別のリップ１４８の機能については後で説明する。
【００２３】
別のサイクロン１３０の空気出口１３４の各々は、ダクト１５０と連通状態にある。ダクト１５０は、手持ち型真空掃除機１０のサイクロン型分離装置１００から他の部分内への空気流経路を提供している。ダクト１５０の下流側端部のところには、モータ前置フィルタ１５２が設けられている。モータ前置フィルタ１５２は、多孔質材料、例えばフォームから成っている。
【００２４】
使用にあたり、モータ・ファンユニットは、汚れ含有空気の流れを汚れ空気入口２０内に引き込み、入口管１８を通ってサイクロン型分離装置１００内に引き込む。汚れ含有空気は、入口１１０を通ってサイクロン型分離装置１００に入る。入口１１０が接線方向に配置されているので、空気流は、壁１０４の内部に沿ってぐるりと螺旋経路を辿るようになる。大きな汚れ及びほこり粒子は、壁１０４周りのサイクロン運動によって分離される。これら粒子は、次に、サイクロン１０２のベース１１６のところに集められる。大きな粒子の分離は、壁１０４の第１の部分１０６によって包囲されたサイクロン１０２の領域及び更にリップ１１４によって包囲されたサイクロン１０２の部分で生じることになる。分離された粒子は、壁１０４の第２の部分１０８によって包囲されたサイクロン１０２の部分内に集まる。
【００２５】
部分的に清浄になった空気流は、次に、サイクロン１０２の内部を上方に逆流し、そしてシュラウド１２１の貫通穴を経てサイクロン１０２から出る。空気流がシュラウド１２１をいったん通過すると、空気流は、出口１２４に入り、ここから別のサイクロン１３０の各々の接線方向入口１３２に分割される。別のサイクロン１３０の各々は、サイクロン１０２の直径よりも小さい直径を有している。したがって、別のサイクロン１３０は、サイクロン１０２の場合よりも小さい汚れ及びほこり粒子を部分的に清浄になった空気流から分離することができる。分離された汚れやほこりは、円錐形開口部１３６を通って別のサイクロン１３０から出る。しかる後、分離された汚れやほこりは、通路１３８を下って収集器１４２内に入る。分離された汚れやほこりは、最終的には、収集器１４２の底部のところに落ち着く。
【００２６】
次に、清浄になった空気は、別のサイクロン１３０を上方に逆流し、空気出口１３４を通って別のサイクロン１３０から出てダクト１５０に流入する。清浄になった空気は、次に、ダクト１５０からモータ前置フィルタ１５２、モータ・ファンユニット及びモータ後置フィルタを順次通過し、その後空気ベント２４を通って真空掃除機１０から排出される。
【００２７】
使用にあたり、手持ち型真空掃除機１０は、種々の向きに保持されることが見込まれる。手持ち型真空掃除機は、使用中上下逆さまに保持される場合さえある。サイクロン型分離装置１００が垂直から離れて傾けられると、もしそうでなければ入口１１０及びシュラウド１２１に向かって動く分離状態の汚れやほこりの大部分は、リップ１１４と壁１０４の第２の部分１０８との間に作られた環状ポケット内に取り込まれ又は捕捉される。さらに、上述のポケットが設けられていることにより、サイクロン１０２の下方部分内における淀み箇所及び渦流の発生を助長できる。これは、戻り空気流中への分離状態の汚れやほこりの再同伴を一段と阻止することができる。
【００２８】
収集器１４２に関し、収集器１４２の第２の部分１４６と別のリップ１４８との間にポケットが作られる。このポケットは、別のサイクロン１３０の円錐形開口部１３６又は他の部分を潜在的に塞ぐ場合のある分離状態の汚れやほこりの一部分が手持ち型真空掃除機１０を垂直から遠ざけて傾けたときに通路１３８に再び入るのを阻止するであろう。
【００２９】
サイクロン１０２及び収集器１４２を同時に空にするには、キャッチ１２０を解除してベース１１６がヒンジ１１８回りに枢動することができるようにするのが良く、その結果、分離状態の汚れやほこりがサイクロン型分離装置１００から落下することができるようにするのが良い。
【００３０】
リップ１１４と別のリップ１４８の両方は、第１の実施形態に示す形態とは異なる形態又は形状のものであって良い。図４〜図１１は、本発明の範囲に属する１つ又は複数のリップの８つの別の変形形態を概略的に示している。これらの図では、リップ及び隣接の壁部分の全体形状以外の全ての細部は省かれる。リップのこれら形態は、サイクロンのリップと収集器の別のリップのいずれにも適用できる。
【００３１】
図４は、本発明の第２の実施形態を示している。この実施形態では、サイクロン型分離装置２００は、壁の第１の部分２０４から壁の第２の部分２０６によって包囲された領域内に延びるリップ２０２を有している。リップ２０２は、複数の貫通穴を有し、これら貫通穴は、空気を通過させるが、汚れやほこりの大きな粒子を遮ることができる。その他の点に関しては、リップ２０２は、上述のリップ１１４と同一である。
【００３２】
図５は、本発明の第３の実施形態を示している。この実施形態では、サイクロン型分離装置２５０は、壁の切頭円錐形の第１の部分２５４から壁の第２の部分２５６によって包囲された領域内に延びるリップ２５２を有している。壁の第２の部分２５６は、部分的に切頭円錐形であり且つ部分的に円筒形である。
【００３３】
図６は、本発明の第４の実施形態を示している。この実施形態（縮尺通りには示されていない）では、サイクロン型分離装置３００は、長手方向軸線Ｘ′−Ｘ′を有すると共に壁の円錐形の第１の部分３０４から壁の第２の部分３０６によって包囲された領域内に延びるリップ３０２を有している。リップ３０２は、長手方向軸線Ｘ′−Ｘ′に対して角度をなして壁の第１の部分３０４から内方に延びている。
【００３４】
図７は、本発明の第５の実施形態を示している。この実施形態（これ又、縮尺通りには示されていない）では、サイクロン型分離装置３５０は、長手方向軸線Ｘ″−Ｘ″を有すると共に壁の円筒形の第１の部分３５４から壁の第２の部分３５６によって包囲された領域内に延びるリップ３５２を有している。リップ３５２は、長手方向軸線Ｘ″−Ｘ″に対して角度をなして壁の第１の部分３０４から外方に延びている。
【００３５】
図８は、本発明の第６の実施形態を示している。この実施形態では、サイクロン型分離装置４００は、壁の円錐形の第１の部分４０４から壁の第２の部分４０６によって包囲された領域内に延びるリップ４０２を有している。リップ４０２は、２つの部分、即ち、壁の第１の部分４０４の実質的に真っ直ぐな延長部を形成する第１の部分と、第１の部分に対して直角をなして内方に延びる環状部分を形成する第２の部分とから成っている。
【００３６】
図９は、本発明の第７の実施形態を示している。この実施形態では、サイクロン型分離装置４５０は、リップ４５２並びに壁の第１の部分４５４及び第２の部分４５６を有している。この実施形態では、環状部分が外方に延びている点を除き第６の実施形態と同一である。
【００３７】
図１０は、本発明の第８の実施形態を示している。この実施形態では、サイクロン型分離装置５００は、壁の円筒形の第１の部分５０４から壁の第２の部分５０６によって包囲された領域内に延びるリップ５０２を有している。リップ５０２は、２つの部分、即ち、内方に延びる第１の部分と、壁の第１の部分５０４に平行に延びる第２の部分とから成っている。
【００３８】
図１１は、本発明の第９の実施形態を示している。この実施形態では、サイクロン型分離装置５５０は、円錐形部分及び環状部分を有する壁の第１の部分５５２を有している。リップ５５４が、第１の部分５５２の環状部から壁の第２の部分５５６によって包囲された領域内に延びている。
【００３９】
図４〜図１１に示す構成は、１つ又は複数のリップの数、形状及び形態が様々であって良いことを示すようになっている。理解されるように、他の構成も可能である。例えば、別のサイクロン組立体は、任意個数のサイクロンから成っていて良い。変形例として、別のサイクロン組立体が存在する必要はなく、フィルタ又は他の分離媒体が、これに取って代わっても良い。
【００４０】
収集器を設ける必要はなく又は収集器にリップを設ける必要はない。重要なことは、サイズが互いに異なる２つの部分を備えた壁及び小さい方の部分から大きい方の部分内に延びるリップを有する１つのサイクロンが存在することである。
【００４１】
上述の実施形態におけるリップは全て、サイクロンの壁の周囲全体に沿って延びている。しかしながら、これが必要であるというわけではない。リップは、サイクロンの壁の周囲の一部に沿って延びていても良い。変形例として、各々がサイクロンの壁の周囲に沿って部分的に延びる複数のリップを設けても良い。
【００４２】
リップは、サイクロンの壁の第２の部分によって包囲された領域の僅かな部分内に延びるのが良く、或いは、変形例として、リップは、サイクロン内に更に延びても良い。任意個数のリップを設けることができ、例えば、数個の同心リップを設けることができる。
【図１】
2009543636.tif 000003
【図２】
2009543636.tif 000004
【図３】
2009543636.tif 000005
【図４】
2009543636.tif 000006
【図５】
2009543636.tif 000007
【図６】
2009543636.tif 000008
【図７】
2009543636.tif 000009
【図８】
2009543636.tif 000010
【図９】
2009543636.tif 000011
【図１０】
2009543636.tif 000012
【図１１】
2009543636.tif 000013
【国際調査報告】
2009543636.tif 000014
2009543636.tif 000015